(57)【要約】【課題】高温環境下での作業する作業員及び防護服を着用した着用者のヒートストレスを軽減する。【解決手段】保冷体１１１は、着用者の身体側に配置される身体部と身体部とは反対側の非身体部とを有している。保冷体１１１は、衣服本体１０の背面部２０と側面部３０に取り付けられる。保冷体１１１が取り付けられた衣服１００を着用する。【選択図】図２
2010255152.tif 000002
【特許請求の範囲】
【請求項１】
保冷剤と、保冷剤を被覆する被覆部材とを有した保冷体において、
前記被覆部材が、被保冷体側に配置される保冷部と、前記保冷部とは反対側に配置される開放部とを有しており、
前記保冷部の熱伝導率が、前記開放部の熱伝導率より高いことを特徴とする保冷体。
【請求項２】
衣服本体と、前記衣服本体に着脱自在な保冷体とを有した衣服において、
前記保冷体は、保冷剤と前記保冷剤を被覆する被覆部材とを有しており、
前記被覆部材が、着用者の身体側に配置される身体部と、前記身体部とは反対側の非身体部とを有しており、
前記身体部の熱伝導率が、前記非身体部の熱伝導率より高いことを特徴とする体温調整機能を有する衣服。
【請求項３】
前記衣服本体が、着用者の首に装着される襟部を有しており、
前記保冷体が、前記襟部に着脱自在であることを特徴とする請求項２に記載の体温調整機能を有する衣服。
【請求項４】
前記保冷剤が、凝固状態において柔軟性を有していることを特徴とする体温調整機能を有する請求項２又は３に記載の衣服。
【請求項５】
前記衣服本体が、着用者の背中を覆う背面部と、前記背面部に連結しており、着用者の側部を覆う側面部と、前記背面部と前記側面部とを介して着用者の胸腹部回りに装着される固定部材とを有していることを特徴とする請求項２〜４のいずれか１項に記載の体温調整機能を有する衣服。
【請求項６】
前記保冷剤の凝固温度及び融解温度が、１０〜３０℃であることを特徴とする請求項２〜５のいずれか１項に記載の体温調整機能を有する衣服。
【発明の詳細な説明】
【技術分野】
【０００１】
本発明は、保冷体及び着用者の身体を保冷する衣服に関するものである。
【背景技術】
【０００２】
高温環境等での作業や防護服を着用するときには、身体を冷却させる冷却機能を備えた衣服が使用されている。例えば、特許文献１の衣服では、衣服に保冷材を収納する収納部材が設けられており、この収納部材へ収納された保冷材によって身体を冷却することができる。
【先行技術文献】
【特許文献】
【０００３】
【特許文献１】特開２００３−５５８１１号公報
【発明の概要】
【発明が解決しようとする課題】
【０００４】
しかし、上記特許文献１に記載の冷却機能を備えた衣服を着用しても、防護服内での温度上昇、また、高温環境下では外気によって保冷材の冷却効果が弱まり、保冷効果が短時間で失われる。このため、高温環境下での体温上昇によるヒートストレスの問題を十分に解消することができない。
【０００５】
そこで、本発明の目的は、高温環境下で長時間冷却効果を維持できる保冷体及び衣服を提供することである。
【課題を解決するための手段】
【０００６】
本発明の保冷体は、保冷剤と、保冷剤を被覆する被覆部材とを有した保冷体において、前記被覆部材が、被保冷体側に配置される保冷部と、前記保冷部とは反対側に配置される開放部とを有しており、前記保冷部の熱伝導率が、前記開放部の熱伝導率より高い。
【０００７】
本発明によると、被保冷体側に配置される保冷部の熱伝導率が外部に開放される開放部の熱伝導率より高いため、外部の熱が保冷剤に伝わりにくくなる。これによって、高温環境下でも保冷剤の保冷効果が十分に発揮されるとともに、長時間に亘って保冷効果を維持できる。
【０００８】
本発明の衣服は、衣服本体と、前記衣服本体に着脱自在な保冷体とを有した衣服において、前記保冷体は、保冷剤と前記保冷剤を被覆する被覆部材とを有しており、前記被覆部材が、着用者の身体側に配置される身体部と、前記身体部とは反対側の非身体部とを有しており、前記身体部の熱伝導率が、前記非身体部の熱伝導率より高く、体温調整機能を有している。
【０００９】
本発明によると、被覆部材の身体部の熱伝導率が被覆部材の非身体部の熱伝導率よりも高いため、外部の熱が保冷剤に伝わりにくくなる。これによって、高温環境下でも保冷剤の保冷効果が十分に発揮され、身体への冷却効果が十分に発揮されるとともに、長時間に亘って保冷効果を維持できる。また、体温調整機能を有しているので、着用者の身体を冷やしすぎることなく好適な温度に体温を調整することができる。
【００１０】
また、前記衣服本体が、着用者の首に装着される襟部を有しており、前記保冷体が、前記襟部に着脱自在であることが好ましい。
【００１１】
本発明によると、首の動脈を冷やすことができるので、身体への冷却効果がより向上する。また、襟部が不要なときは襟部を衣服本体から取り外すことができる。
【００１２】
また、保冷剤が凝固状態において柔軟性を有していることが好ましい。これによると、保冷剤を冷却し凝固させても、保冷剤が柔軟性を有している。これによって、保冷体が身体の動きに応じて変形し、着用者の作業に支障をきたさない。
【００１３】
また、衣服本体が、着用者の背中を覆う背面部と、前記背面部に連結しており、着用者の側部を覆う側面部と、前記背面部と前記側面部とを介して着用者の胸腹部回りに装着される固定部材とを有しているが好ましい。これによると、衣服を着用者の胸腹部回りに保持できる。これによって、衣服に取り付けられる保冷体による荷重が肩に負荷されることを軽減でき、着用者の作業効率を向上させることができる。
【００１４】
また、前記保冷剤の凝固温度及び融解温度が、１０〜３０℃であることが好ましい。これによると、着用者に身体を冷やしすぎることなく好適な温度に冷却するので、着用者の体温をより好適な温度に調整することができる。
【発明の効果】
【００１５】
本発明の保冷体及び衣服によると、高温環境下におけるヒートストレスを軽減することができる。また、高温環境下においても、保冷体に含まれる保冷剤の冷却効果を維持できるので長時間に亘って身体を保冷することができる。
【図面の簡単な説明】
【００１６】
【図１】本発明の第１実施形態による平面図である。
【図２】図１に示す衣服の立体図である。
【図３】図１に示す衣服の立体図である。
【図４】（ａ）は図１に示す保冷体の断面図であり、（ｂ）は図１に示す保冷体の側面図であり、（ｃ）は図１に示す保冷体の斜視図である。
【発明を実施するための形態】
【００１７】
以下、本発明の好適な実施形態について、図面を参照しつつ説明する。
【００１８】
ここでは、本発明に係る衣服の第１実施形態を説明する。図１は、本発明の一実施の形態による衣服の身体側（内側）を示している。また、図２は、衣服の正面を示す図であり、図３は、衣服の背面を示す図である。
【００１９】
図１に示すように、衣服１００は、衣服本体１０と、保冷体１１１，１１２とを有している。なお、衣服１００は、本出願人が本出願後販売開始予定の衣服（商品名  エコクール  （株式会社アルファ技研製））である。
【００２０】
〔衣服本体１０〕
衣服本体１０は、着用者の背中を覆う背面部２０と、着用者の脇の下を覆う側面部３０と、着用者の首に巻き付けられる襟部４０と、着用者の肩の回りに装着される帯状の肩帯５０と、着用者の胸腹部回りに装着されるベルト（固定部材）６０とを有している。背面部２０と、側面部３０と、肩帯５０とは接合され一体になっている。襟部４０は、背面部２０の上部に取り外し自在になっている。ベルト６０は、背面部２０及び側面部３０を介して衣服本体１０に取り付けられている。
【００２１】
背面部２０は、保冷体１１１が装着される保冷部２１と、背面部２０を着用者の背中に保持する保持部２２とを有している。本実施の形態においては、保冷部２１が背面部２０の上中部であり、保持部２２が背面部２０の下部である。保冷部２１の上部には、襟部４０が取り付けられるマジックテープ（登録商標）７０が縫い付けられている。保冷部２１は裏生地と表生地とを有している。保冷部２１の裏生地と表生地との両方にはメッシュ生地が用いられているので、保冷部２１の通気性が確保される。ここで、裏生地は着用者の身体側の生地を示し、表生地は非身体側の生地を示している。保冷部２１の裏生地と表生地とは、両側端部と下端部とが縫い合わされている。保冷部２１は、横方向に等間隔だけ離れて２箇所の仕切り２２ａ，２２ｂが形成されている。この仕切り２２ａ，２２ｂは、縦方向に沿って裏生地と表生地とを縫い合わせることによって形成されている。この仕切り２２ａ，２２ｂによって横方向に等間隔だけ離れて３つの長方形状のポケット２１ａ，２１ｂ，２１ｃが形成される。３つのポケット２１ａ，２１ｂ，２１ｃは、マジックテープ（登録商標）７１によって上部が開閉自在になっている。３つのポケット２１ａ，２１ｂ，２１ｃの上部の裏生地と表生地との各々にはマジックテープ（登録商標）７１が縫い付けられており、これらを貼り合わせることによってポケット２１ａ，２１ｂ，２１ｃが塞がれる。
【００２２】
本実施の形態では、背面部２０の保持部２２と、側面部３０と、襟部４０との裏生地にポリエステルからなるメッシュ生地が用いられており、表生地にポリエステルからなるナイロン生地が用いられている。なお、衣服本体１０の生地は、本実施の形態に係るメッシュ生地やナイロン生地に限られず、各種の布地や素材を用いてよい。
【００２３】
保持部２２は、水平方向に延びた帯状のベルト挿入部２５を有している。ベルト挿入部２５は、保持部２２の右端から左端まで延び、保持部２２の裏生地と表生地との間に形成されている。そして、裏生地と表生地との間にベルト６０が挿入される。保持部２２の裏生地と表生地とは、水平方向（横方向）に、縦方向に所定の間隔だけ離れて２直線状に縫い合わされ、この２直線の間にベルト挿入部２５が形成されている。ベルト挿入部２５は、側面部３０に形成されたベルト挿入部２６につながっている。また、保持部２２の表生地の外側には、長尺状のマジックテープ（登録商標）７２が水平方向（横方向）に縫い付けられている。このマジックテープ（登録商標）７２は、ベルト挿入部２５の略裏側に取り付けられており、ベルト６０の使用しない部分が貼り付けられる。
【００２４】
側面部３０は、保持部２２から左右両方向に延在した部分であり、着用者の脇下付近まで延びている。側面部３０の裏生地の内側（身体側）には、メッシュ生地がさらにつけられている。裏生地とこのメッシュ生地とは両側端部と下端部とが縫い合わされており、この裏生地とメッシュ生地とによってポケット３１ａが形成されている。ポケット３１ａの上部には、保冷部２１と同様に、裏生地とメッシュ生地との各々にマジックテープ（登録商標）７３が縫い付けられており、裏生地のマジックテープ（登録商標）７３とメッシュ生地のマジックテープ（登録商標）７３を貼り合わせることによってポケット３１ａが塞がれる。また、側面部３０も、帯状のベルト挿入部２６を有している。ベルト挿入部２６は、側面部３０の右端から左端まで水平方向に延び、側面部３０の裏生地と表生地との間に形成されている。ベルト挿入部２６は、ベルト挿入部２５と同様に、側面部３０の裏生地と表生地とが、水平方向に、縦方向に所定の間隔だけ離れて２直線状に縫い合わされ、この２直線の間に形成されている。
【００２５】
襟部４０は、左右両方向に延在する帯状の巻付部４１と、巻付部４１の中心から下方に延びた取付部４２とを有しており、巻付部４１と取付部４２とで略Ｔ字型を形成している。
【００２６】
巻付部４１は、着用者の首回りに装着される。巻付部４１は、首に巻き付けられるので、着用者の首回りを十分に巻くことができる長さを有している。巻付部４１の裏生地（メッシュ生地）は、巻付部４１の中央から着用者の首の両側部を覆う位置まで左右両方向に延びている。巻付部４１の表生地と裏生地とは上下両端部及び一方の側端部が縫い合わされており、これによって他方の側端部が開放されたポケット４１ａが形成されている。本実施の形態では、衣服１００を着用した着用者の左端部が開放自在に形成されている。この左端部では、裏生地の端部が折り返されており、表生地の端部が挿入可能に形成されている。この折り返された部分に表生地の端部を挿入することによってポケット４１ａが塞がれる。
【００２７】
巻付部４１の長手方向に関する一端部の裏生地及び他端部の表生地には、マジックテープ（登録商標）７４が縫い付けられている。巻付部４１を着用者の首に巻き付けたとき、両端部のマジックテープ（登録商標）７４を貼り合わせることによって巻付部４１を着用者の首に固定する。本実施の形態においては、衣服１００を着用した着用者からみた右端部の表生地と左端部の裏生地とにマジックテープ（登録商標）７４が縫い付けられている。
【００２８】
取付部４２には、背面部２０の上部のマジックテープ（登録商標）７０に貼り合わされるマジックテープ（登録商標）７０が縫い付けられている。このマジックテープ（登録商標）７０によって、襟部４０が背面部２０に取り外し自在になる。
【００２９】
肩帯５０は、背面部２０の上部の左右両端の各々から延びており、左右の肩帯５０から一対の肩帯５０が形成される。肩帯５０の他端は、ベルト挿入部２６から前面に延びたベルト６０に接続され、ベルト６０の側面部３０側に取り付けられている。なお、右側の肩帯５０は右側のベルト６０に接続し、左側の肩帯５０は左側のベルト６０に接続している。肩帯５０の途中には肩帯５０の長さを調整する調整部５３が取り付けられている。
【００３０】
ベルト６０は、ベルト挿入部２５及びベルト挿入部２６に挿入されており、ベルト挿入部２６から前面に向けて延びている。一方のベルト挿入部２６から延びたベルト６０の端部には止め具６１（タング）が取り付けられている。他方のベルト挿入部２６から延在したベルト６０の途中には止め具６１を受ける受け具６２（バックル）と、ベルト６０の長さを調整する調整部６３が取り付けられている。本実施の形態においては受け具６２と調整部６３とが一体になっている。ベルト６０は、着用者の胸部回り又は腹部の上方回りに装着される。左右両側から延びるベルト６０を身体の胸腹部回りに巻き付け、着用者の正面で止め具６１（タング）を受け具６２（バックル）に係合させると、左右両側のベルト挿入部２６から延びたベルト６０が連結され、ベルト６０が締められる。ベルト６０は保持部２２と側面部３０を介して胸腹部回りに装着される。そうすると、保持部２２と側面部３０との各々が、ベルト６０と身体（背面及び脇の下方）との間に挟まれ、ベルト６０によって身体（背面及び脇の下方）に固定されるとともに、衣服１００が着用者の胸腹部回りに保持される。これによって、衣服１００全体の荷重が胸腹部回りで保持され、衣服１００の荷重が肩へ負荷されることを軽減できる。
【００３１】
ベルト６０の長さは、調整部６３によって調整され、衣服の固定に使用しないベルト６０は、背面部２０のマジックテープ（登録商標）７４に貼り付けられる。これによって、ベルト６０が着用者の作業の邪魔にならない。なお、本実施の形態においては、受け具６２と調整部６３とが一体になった部品を用いているが、一体となっていない部品を用いてもよい。この場合、調整部６３が受け具６２より側面部３０側に取り付けられているベルトを用いる。
【００３２】
なお、本実施の形態においては、表生地及び裏生地に縫い付けられた互いに貼り合わされるマジックテープ（登録商標）７０〜７４は、略同形状を有している。また、本実施の形態においては、生地及び裏生地を結合したり、ポケットを塞ぐ（封止する）したりするためにマジックテープを用いているが、他の部材を用いてもよい。
【００３３】
〔保冷体１１１，１１２〕
ポケット２１ａ，２１ｂ，２１ｃ，３１ａには保冷体１１１が収納されている。ポケット４１ａには保冷体１１２が収納されている。保冷体１１１は長方形状に形成されている。保冷体１１２は長尺の長方形状に形成されている。保冷体１１２の中央には、保冷体１１２を左右２つに分ける仕切りが形成されている。なお、図４では保冷体１１１を示しているが、保冷体１１２も同様の構成を有している。
【００３４】
保冷体１１１，１１２は、袋体１５０と、袋体１５０に充填された保冷剤１５１と、袋体１５０の一方の面を覆った断熱シート１５５とを有しており、袋体１５０（被覆部材）及び断熱シート１５５（被覆部材）によって保冷剤１５１が被覆されている。そして、略平板形状に維持されている。
【００３５】
袋体１５０は、２枚のシート１５０ａ，１５０ｂを有している。２枚のシート１５０ａ，１５０ｂは、同形状及び同素材である。この２枚のシート１５０ａ，１５０ｂを互いに重ね合わせ、重なり合った全端部を溶着などによって封止することによって、袋体１５０の内部が密閉されている。シート１５０ａ，１５０ｂは、ポケット２１ａ，２１ｂ，２１ｃ，３１ａよりも少し小さい長方形状に形成されている。本実施の形態においては、シート１５０ａ，１５０ｂにナイロンとポリエチレンとアルミニウム箔とポリエチレンとポリエチレン系材料（株式会社テクノスタット工業製：商品名  ＳＴＡＴ−３Ｓ（ＳＴ−６７８））とが積層された５層構造のシートを用いている。この構造によって、シート１５０ａ，１５０ｂの強度が高く、シート１５０ａ，１５０ｂ（袋体１５０）が破損しにくい。なお、これらの５層は、シート１５０ａ，１５０ｂを袋体１５０に用いたときに、袋体１５０の外側から袋体１５０の内側へ順にナイロンとポリエチレンとアルミニウム箔とポリエチレンとポリエチレン系材料が積層されるように配置される。また、シート１５０ａ，１５０ｂは、厚みが約０．１ｍｍに形成されている。この５層構造のシート１５０ａ，１５０ｂの熱伝導率は、約０．２〜０．６Ｗ／ｍ・Ｋである。シート１５０ａ，１５０ｂに含まれるアルミニウム箔はシート１５０ａ，１５０ｂの熱伝導率よりも非常に高い熱伝導率を有しているが、本実施形態におけるシート１５０ａ，１５０ｂには非常に薄いアルミニウム箔を用いているため、シート１５０ａ，１５０ｂ全体の熱伝導率がアルミニウム箔の有する熱伝導率よりも低い約０．２〜０．６ Ｗ／ｍ・Ｋとなる。
【００３６】
保冷剤１５１は、ゲル状の保冷剤であり、本実施の形態では、保冷剤１５１に蓄熱剤、不凍剤、水、乳化剤及び界面活性剤が含まれている。これらの配合比は、蓄熱剤を４０％〜８０％、不凍剤（グリコール）を１０％〜４０％、水を１０％〜４０％、乳化剤を２％以下及び界面活性剤を０．５％以下とし、これら全体で１００％となるように配合することが好ましい。不凍剤の配合比としてさらに好ましい範囲は１０％〜３０％である。不凍剤を配合することによって、保冷剤が凍結することを防ぐことができるので保冷剤の柔軟性を維持することができる。なお、不凍剤が１０％未満であると、不凍剤による保冷剤を凍結させない効果が十分に得られない。また、不凍剤が４０％を超えると、保冷剤に含まれる他の成分の効果が十分に発揮されない。また、蓄熱剤には、保冷温度が約１０〜３０℃である蓄熱剤が用いられている。これによって、保冷剤１５１の保冷温度が約１０〜３０℃となる。このような保冷剤を保冷体１１１，１１２に用いるので、保冷体１１１，１１２が着用者の身体を好適な温度に調整できる体温調整機能を備える。一般的な保冷剤の保冷温度は約０℃のため、身体を冷やしすぎることがある。また、保冷温度が約０℃であると、保冷剤の温度と高温の外気の温度との温度差が大きいため保冷剤に結露が生じる。しかし、本実施の形態の保冷剤は、保冷温度が約１０〜３０℃のため、着用者の身体を冷やしすぎることなく体温を調整することができる。また、保冷剤の保冷温度が高温環境下の外気の温度に近いため結露の量が少なくなる。
【００３７】
断熱シート１５５は、シート状の発泡ポリエチレン１５６と発泡ポリエチレン１５６上に貼り合わされたアルミニウム箔１５７とを有しており、発泡ポリエチレン１５６とアルミニウム箔１５７との２層構造を有している。断熱シート１５５は、シート１５０ａ，１５０ｂの平面と略同じ大きさの平面に形成されており、袋体１５０を構成する２枚のシート１５０ａ，１５０ｂのうち一方のシート１５０ａの外側に貼り付けられている。これによって、一方のシート１５０ａが断熱シート１５５によって覆われている。２層を有した断熱シート１５５の熱伝導率は、約０．０２〜０．０６ Ｗ／ｍ・Ｋである。
【００３８】
保冷体１１１が断熱シート１５５が貼り付けられていないシート１５０ｂ側が身体側（裏生地側）に配置されるように、すなわち、断熱シート１５５が被身体側（表生地側）に配置されるように、ポケット２１ａ，２１ｂ，２１ｃ，３１ａに保冷体１１１を収納する。保冷体１１１をポケット２１ａ，２１ｂ，２１ｃ，３１ａに収納した後、ポケット２１ａ，２１ｂ，２１ｃ，３１ａの上部に縫い付けられた裏生地のマジックテープ（登録商標）７１，７３と表生地のマジックテープ（登録商標）７１，７３とを貼り合せる。これによって、保冷体１１１がポケット２１ａ，２１ｂ，２１ｃ，３１ａから落ちることを防げる。
【００３９】
保冷体１１２も、保冷体１１１と同様に、断熱シート１５５が貼り付けられていないシート１５０ａ側が身体側（裏生地側）に配置されるように、ポケット４１ａに収納する。保冷体１１２をポケット４１ａに収納した後、折り返された裏生地に表生地の端部を挿入する。これによって、保冷体１１２がポケット４１ａから落ちることを防げる。
【００４０】
保冷剤１５１を被覆する被覆部材（袋体１５０及び断熱シート１５５）は、着用者の身体側に配置される身体部（保冷部）と、身体とは反対の被身体側に配置される非身体部（開放部）１７２とを有する。本実施の形態において、図４（ｂ）に示すように、身体部（保冷部）はシート１５０ｂであり、非身体部（開放部）１７２はシート１５０ａと断熱シート１５５とを含んでいる。身体側に配置される身体部（シート１５０ｂ）は、シート１５０ｂにより熱伝導率が約０．２〜０．６ Ｗ／ｍ・Ｋである。一方、被身体側に配置される非身体部１７２は、シート１５０ａが存在するものの、断熱シート１５５によって熱伝導率が約０．０２〜０．０６ Ｗ／ｍ・Ｋになる。このように、身体側に配置される身体部の熱伝導率が被身体側に配置される被身体部１７２の熱伝導率より約１０倍高くなる。なお、本実施の形態においては、身体部の熱伝導率と被身体部１７２の熱伝導率との差が１０倍以上異なるが、この熱伝導率の差に限られない。身体部の熱伝導率と被身体部１７２の熱伝導率との差は、５倍以上異なることが好ましく、１０倍以上異なることがさらに好ましい。また、１００倍以上であることがさらに好ましい。
【００４１】
なお、保冷体１１１に用いた袋体、保冷剤及び断熱シートの材料、厚み、熱伝導率及び形状（大きさ）は、本実施の形態において用いた材料や特性などに限られない。また、断熱シート１５５は、本実施の形態においてシート１５０ａの外側に位置するが、この位置に限られない。例えば、断熱シート１５５をシート１５０ａの内側に貼り付け、袋体１５０の内部に配置させてもよい。この場合も、被身体部１７２はシート１５０ａと断熱シート１５５とを含んでいる。また、外部の熱がシート１５０ａによってシート１５０ａの内側へ伝熱されるが、断熱シート１５５によって保冷剤１５１への伝熱が妨げられるので、被身体部１７２の熱伝導率は断熱シート１５５の熱伝導率と同様の約０．０２〜０．０６ Ｗ／ｍ・Ｋになる。
【００４２】
衣服１００の着用前に、保冷体１１１，１１２をあらかじめ冷蔵庫または冷凍庫で冷却する。冷却された保冷体１１１を衣服本体１０のポケット２１ａ，２１ｂ，２１ｃ，３１ａに収納し、ポケット２１ａ，２１ｂ，２１ｃ，３１ａの開口（上部）をマジックテープ（登録商標）７１，７３を用いて塞ぐ。また、冷却された保冷体１１２をポケット４１ａへ収納し、ポケット４１ａの開口（側部）を塞ぐ。そして、衣服１００を着用する。
【００４３】
以上のように、本実施の形態の保冷体１１１，１１２及び衣服１００によると、断熱シート１５５によって保冷体１１１，１１２の身体側に配置される身体部（保冷部）の熱伝導率が身体とは反対の被身体側に配置される被身体部（開放部）１７２の熱伝導率よりも高くなる。これによって、身体側に配置されるシート１５０ｂにより保冷剤１５１の熱が身体へ伝熱されながら、断熱シート１５５によって外部の熱が保冷剤１５１に伝わりにくくなり、保冷剤１５１の冷却機能が外部の影響を受けにくい。このため、高温環境下でも保冷体１１１，１１２の保冷効果が十分に発揮されるとともに、保冷効果が長時間維持される。
【００４４】
また、襟部４０によって首の動脈を冷却することができるので、身体への冷却効果がより向上する。また、襟部４０がマジックテープ（登録商標）７４によって首に巻き付けられた状態に維持できるので、襟部４０に取り付けられた保冷体１１２の荷重が肩に負荷されない。さらに、襟部４０が不要なときは、マジックテープ（登録商標）７０によって襟部４０を衣服本体１０から容易に取り外すことができる。
【００４５】
また、保冷剤１５１に不凍剤が含まれているので、保冷剤が、凝固状態において融解状態と同様に柔軟性を有している。このため、保冷体１１１，１１２が低温に冷却されても凍結せず、保冷体１１１，１１２の柔軟性が維持される。これによって、保冷体１１１，１１２が身体の動きに応じて変形するので、着用者の作業に支障をきたさず、着用者の作業効率を低下させない。
【００４６】
また、ベルト６０が保持部２２及び側面部３０を介して（挟んで）身体に固定されるので、保冷体１１１のついた背面部２０（保冷部２１）と側面部３０が胸腹部回りに保持される。これによって、衣服１００（保冷体１１１，１１２）を着用者の胸腹部回りに保持できる。これによって、保冷体１１１，１１２による荷重が肩に負荷することを軽減でき、着用者の作業効率を向上させることができる。
【００４７】
また、側面部３０に取り付けられる保冷体１１１によって脇の下方の動脈を冷却することができる。これによって、身体への冷却効果がより向上する。
【００４８】
また、保冷体１１１，１１２の保冷温度が約１０〜３０℃に設定されているので、衣服１００は体温を好適な温度に調整する体温調整機能を有する。これによって、着用者の身体を冷やしすぎることなく好適な温度に体温を調整することができる。また、一般的に使用される保冷体（保冷温度：０℃）に比べて保冷温度と外部の温度との差が小さくなる。これによって、保冷体１１１，１１２の結露を少なくすることができる。
【００４９】
以上、本発明の好適な実施形態について説明したが、本発明は上述の実施の形態に限られるものではなく、特許請求の範囲に記載した限りにおいて様々な変更が可能なものである。例えば、衣服本体１０に取り付ける保冷体１１１，１１２の形状や数量は、本実施の形態にかかる保冷体１１１，１１２の形状や数量に限られない。また、衣服本体１０の形状や素材、保冷体を収納するポケットの数や形状は、本実施の形態において用いた形状や素材などに限られない。
【符号の説明】
【００５０】
１  衣服本体
２０  背面部
３０  側面部
４０  襟部
５０  肩帯
６０  ベルト
１００  衣服
１１１，１１２  保冷体
１５０  袋体
１５０ａ  シート
１５０ｂ  シート
１５１  保冷剤
１５５  断熱シート
１７２  非身体部（開放部）
【図１】
2010255152.tif 000003
【図２】
2010255152.tif 000004
【図３】
2010255152.tif 000005
【図４】
2010255152.tif 000006